(57)【要約】【課題】ダクト同士の組付作業が容易であり、組付け後にダクト同士の接続部が外れ難い車両用空調装置を提供すること。【解決手段】第２ダクトである通風ダクト２０を第１ダクトである空調ケース１０の吹出開口部１９の開口面に沿ってスライドして組付ける際に、スライド方向に沿った吹出開口部１９の両側の側方部に形成した突出部１５と、スライド方向に沿った導入開口部１９の両側の側方部に形成した溝部２５とを嵌合させて案内し、吹出開口部１９と導入開口部２９とが重なり合って空調ケース１０内と通風ダクト２０内とを連通する連通口が形成されたときには、爪部２７と突起部１７との係合によりスライド方向における吹出開口部１９と導入開口部２９との位置関係が固定されるようになっている。【選択図】図１２
2008137549.tif 000002
【特許請求の範囲】
【請求項１】
第１開口部（１９）が設けられた第１ダクト（１０）と、
第２開口部（２９）が設けられ、前記第１開口部（１９）と前記第２開口部（２９）とが重なり合って内部同士を連通する連通口（９）を形成するように前記第１ダクト（１０）に接続された第２ダクト（２０）とを備え、
前記第１ダクト（１０）と前記第２ダクト（２０）とは、前記両開口部（１９、２９）の開口面に沿って相対的にスライドされて接続組付けされ、組付に伴ない形成された前記連通口（９）を介して前記第１ダクト（１０）内および前記第２ダクト（２０）内を流通した空調風を車室内に送風する車両用空調装置であって、
前記第１ダクト（１０）は、前記スライド方向（ＸＸ）に直交する方向（ＹＹ）における前記第１開口部（１９）の両側に、外方に向かって突出し前記スライド方向（ＸＸ）に延びるように形成された突出部（１５）を有し、前記第２ダクト（２０）は、前記スライド方向（ＸＸ）に直交する方向（ＹＹ）における前記第２開口部（２９）の両側に、前記接続組付けする際に前記突出部（１５）に嵌合するように形成された前記スライド方向（ＸＸ）に延びる溝部（２５）を有するとともに、
前記第１ダクト（１０）および前記第２ダクト（２０）には、前記連通口（９）を形成した際に前記スライド方向（ＸＸ）における前記第１開口部（１９）と前記第２開口部（２９）との位置関係を固定するための係合手段（１７、２７）が設けられていることを特徴とする車両用空調装置。
【請求項２】
前記突出部（１５）および前記溝部（２５）の少なくともいずれかは、前記連通口（９）の前記スライド方向（ＸＸ）における全域に対応する部位に渡って連続して形成されていることを特徴とする請求項１に記載の車両用空調装置。
【請求項３】
前記突出部（１５）は、前記連通口（９）の前記スライド方向（ＸＸ）における全域に対応する部位に渡って連続して形成され、
前記溝部（２５）は、前記連通口（９）の前記スライド方向（ＸＸ）における一部に対応する部位に形成されていることを特徴とする請求項１に記載の車両用空調装置。
【請求項４】
前記溝部（２５）は、前記連通口（９）の前記スライド方向（ＸＸ）における少なくとも両端に対応する部位に形成されていることを特徴とする請求項３に記載の車両用空調装置。
【請求項５】
前記係合手段（１７、２７）は、前記スライド方向（ＸＸ）における前記連通口（９）の端部側に設けられていることを特徴とする請求項１ないし請求項４のいずれかに記載の車両用空調装置。
【請求項６】
前記係合手段（１７、２７）は、前記第１ダクト（１０）および前記第２ダクト（２０）のうち、一方のダクト（２０）に設けられた係合爪部（２７）と、他方のダクト（１０）に設けられ前記連通口（９）を形成した際に前記係合爪部（２７）に係合する係合爪受部（１７）とからなることを特徴とする請求項１ないし請求項５のいずれかに記載の車両用空調装置。
【請求項７】
前記第１ダクト（１０）および前記第２ダクト（２０）のうち、一方のダクト（１０）は、熱交換により前記空調風を生成するための熱交換器を内部に備えた空調ケース（１０）であり、他方のダクト（２０）は、前記空調ケース（１０）から吹き出される前記空調風を車室内へ送るための通風ダクト（２０）であることを特徴とする請求項１ないし請求項６のいずれかに記載の車両用空調装置。
【発明の詳細な説明】
【技術分野】
【０００１】
本発明は、内部に空調風を流通する複数のダクトを接続して構成された車両用空調装置に関する。
【背景技術】
【０００２】
従来技術として、下記特許文献１に開示された車両用空調装置がある。この車両用空調装置は複数のダクトを接続して構成されており、先に車両に搭載したダクトの端部に後から搭載するダクトの端部を挿入してダクト同士を接続している。挿入する側のダクトの端部近傍の外周面には係合用の爪部が形成され、挿入される側のダクトの端部近傍の内周面には上記爪部と係合するための貫通孔もしくは有底孔が形成され、ダクト同士の接続時に爪部と孔とが係合して、ダクト相互の位置決めがされるようになっている。
【特許文献１】特開２００２−３２１５１７号公報
【発明の開示】
【発明が解決しようとする課題】
【０００３】
近年、車両搭載時の作業効率を向上する等を目的として、車両用空調装置の複数のダクトを予め接続組付けしてから搭載工程まで搬送する場合がある。このような場合には、上記従来技術の車両用空調装置の構成では、搬送中に爪部と孔との係合が外れてしまう可能性が大きく、ダクト同士を固定するビス等の固定手段を追加する必要がある。
【０００４】
しかしながら、ビス等の固定手段を採用すると、ダクト同士を接続する組付作業が複雑になるという問題がある。
【０００５】
本発明は、上記点に鑑みてなされたものであり、ダクト同士の組付作業が容易であり、組付け後にダクト同士の接続部が外れ難い車両用空調装置を提供することを目的とする。
【課題を解決するための手段】
【０００６】
上記目的を達成するため、請求項１に記載の発明では、
第１開口部（１９）が設けられた第１ダクト（１０）と、
第２開口部（２９）が設けられ、第１開口部（１９）と第２開口部（２９）とが重なり合って内部同士を連通する連通口（９）を形成するように第１ダクト（１０）に接続された第２ダクト（２０）とを備え、
第１ダクト（１０）と第２ダクト（２０）とは、両開口部（１９、２９）の開口面に沿って相対的にスライドされて接続組付けされ、組付に伴ない形成された連通口（９）を介して第１ダクト（１０）内および第２ダクト（２０）内を流通した空調風を車室内に送風する車両用空調装置であって、
第１ダクト（１０）は、組付け時のスライド方向（ＸＸ）に直交する方向（ＹＹ）における第１開口部（１９）の両側に、外方に向かって突出しスライド方向（ＸＸ）に延びるように形成された突出部（１５）を有し、第２ダクト（２０）は、スライド方向（ＸＸ）に直交する方向（ＹＹ）における第２開口部（２９）の両側に、接続組付けする際に第１ダクト（１０）の突出部（１５）に嵌合するように形成されたスライド方向（ＸＸ）に延びる溝部（２５）を有するとともに、
第１ダクト（１０）および第２ダクト（２０）には、連通口（９）を形成した際にスライド方向（ＸＸ）における第１開口部（１９）と第２開口部（２９）との位置関係を固定するための係合手段（１７、２７）が設けられていることを特徴としている。
【０００７】
これによると、第１ダクト（１０）の突出部（１５）と第２ダクト（２０）の溝部（２５）とを嵌合させつつ、第１ダクト（１０）と第２ダクト（２０）とを第１開口部（１９）および第２開口部（２９）の開口面に沿って相対的にスライドすることによって、第１開口部（１９）と第２開口部（２９）とが重なり合った連通口（９）を形成するよう第１ダクト（１０）と第２ダクト（２０）とを容易に組付けることができる。
【０００８】
また、連通口（９）を形成したときには、係合手段（１７、２７）によりスライド方向（ＸＸ）における第１開口部（１９）と第２開口部（２９）との位置関係を固定できる。したがって、組付けられた第１ダクト（１０）と第２ダクト（２０）とは、突出部（１５）と溝部（２５）との嵌合により連通口（９）の開口面に直交する方向ばかりでなく、組付け時のスライド方向（ＸＸ）においても確実に接合固定される。
【０００９】
このようにして、ダクト（１０、２０）同士の組付作業が容易であり、組付け後のダクト（１０、２０）同士の接続部を外れ難くすることができる。
【００１０】
また、請求項２に記載の発明では、突出部（１５）および溝部（２５）の少なくともいずれかは、連通口（９）のスライド方向（ＸＸ）における全域に対応する部位に渡って連続して形成されていることを特徴としている。
【００１１】
これによると、第１ダクト（１０）と第２ダクト（２０）とを第１、第２開口部（１９、２９）の開口面に沿って相対的にスライドして接続組付けする際に、スライド中は常時突出部（１５）と溝部（２５）との嵌合状態を継続することができる。したがって、ダクト（１０、２０）同士の組付作業を一層容易に行なうことができる。
【００１２】
また、請求項３に記載の発明では、突出部（１５）は、連通口（９）のスライド方向（ＸＸ）における全域に対応する部位に渡って連続して形成され、溝部（２５）は、連通口（９）のスライド方向（ＸＸ）における一部に対応する部位に形成されていることを特徴としている。
【００１３】
これによると、第１ダクト（１０）と第２ダクト（２０）とを第１、第２開口部（１９、２９）の開口面に沿って相対的にスライドして接続組付けする際に、スライド中は常時突出部（１５）と溝部（２５）との嵌合状態を継続することができる。したがって、ダクト（１０、２０）同士の組付作業を一層容易に行なうことができる。また、突出部（１５）より比較的成形が困難な溝部（２５）を、連通口（９）のスライド方向（ＸＸ）における全域に対応する部位に渡って成形する必要がないので、溝部（２５）を有する第２ダクト（２０）の成形を容易に行なうことができる。
【００１４】
また、請求項４に記載の発明では、請求項３に記載の車両用空調装置において、溝部（２５）は、連通口（９）のスライド方向（ＸＸ）における少なくとも両端に対応する部位に形成されていることを特徴としている。
【００１５】
これによると、溝部（２５）を連通口（９）のスライド方向（ＸＸ）における一部に対応する部位に形成した場合であっても、突出部（１５）と溝部（２５）とを嵌合により第１ダクト（１０）と第２ダクト（２０）との連通口（９）の開口面に直交する方向に確実に接合固定することができる。
【００１６】
また、請求項５に記載の発明では、係合手段（１７、２７）は、スライド方向（ＸＸ）における連通口（９）の端部側に設けられていることを特徴としている。
【００１７】
これによると、係合手段をスライド方向（ＸＸ）に直交する方向（ＹＹ）おける連通口（９）の端部側に設けた場合よりも、両ダクト（１０、２０）の接続部におけるスライド方向（ＸＸ）に直交する方向（ＹＹ）の幅を小さくすることが可能である。
【００１８】
また、請求項６に記載の発明のように、係合手段（１７、２７）は、第１ダクト（１０）および第２ダクト（２０）のうち、一方のダクト（２０）に設けられた係合爪部（２７）と、他方のダクト（１０）に設けられ連通口（９）を形成した際に係合爪部（２７）に係合する係合爪受部（１７）とにより構成することができる。
【００１９】
また、請求項７に記載の発明では、第１ダクト（１０）および第２ダクト（２０）のうち、一方のダクト（１０）は、熱交換により空調風を生成するための熱交換器を内部に備えた空調ケース（１０）であり、他方のダクト（２０）は、空調ケース（１０）から吹き出される空調風を車室内へ送るための通風ダクト（２０）であることを特徴としている。
【００２０】
これによると、車両に搭載する前に空調ケース（１０）と通風ダクト（２０）とを組付ける場合であっても、空調ケース（１０）と通風ダクト（２０）との組付作業が容易であり、組付け後に搬送等を行なっても空調ケース（１０）と通風ダクト（２０）との接続部が外れ難い。
【００２１】
なお、上記各手段に付した括弧内の符号は、後述する実施形態記載の具体的手段との対応関係を示す一例である。
【発明を実施するための最良の形態】
【００２２】
以下、本発明の実施の形態を図に基づいて説明する。
【００２３】
図１は、本発明を適用した一実施形態における車両用空調装置１の要部構成を示す側面図である。図２は、図１のＩＩ−ＩＩ線断面図であり、図３は、図１のＩＩＩ矢視図である。また、図４は、図１に示した要部構成のうち空調ケース１０の側面図、図５は、空調ケース１０の正面図であり、図６は、図５のＶＩ−ＶＩ線断面図である。
【００２４】
また、図７は、図１に示した要部構成のうち通風ダクト２０の側面図、図８は、通風ダクト２０の正面図（図７のＶＩＩＩ−ＶＩＩＩ線断面図）であり、図９は、図８のＩＸ−ＩＸ線断面図、図１０は、図８のＸ−Ｘ線断面図、図１１は、図８のＸＩ−ＸＩ線断面図である。なお、図６、９〜１１では断面形状のみを図示している。
【００２５】
図１に示すように、車両用空調装置１は、空調ユニット部のケースである空調ケース１０と通風ダクト２０とが接続されている。
【００２６】
空調ケース１０は、ポリプロピレン樹脂のような、ある程度弾性を有し、強度的にも優れた樹脂の射出成形品からなる。この空調ケース１０は全体形状が概略箱状に成形され、図示しない熱交換器等の機器を内部に収納している。空調ケース１０には、矩形状の吹出開口部（例えば、フェイス吹出開口部、フット吹出開口部、デフロスタ吹出開口部等）１９が設けられており、図示しない熱交換器により熱交換され温度調節された空調風を吹出開口部１９から吹き出すことができるようになっている。
【００２７】
空調ケース１０には、吹出開口部１９から吹き出される空調風を車室内へ送るための通風ダクト２０が接続している。通風ダクト２０は、ポリエチレン樹脂のような、ある程度の弾性および可撓性を有する樹脂のブロー成形品からなる。この通風ダクト２０は、空調ケース１０の吹出開口部１９と車室内に向けて空気を吹き出すための図示しない吹出口（例えば、フェイス吹出口、フット吹出口、デフロスタ吹出口等）とを連通するように概略筒状に形成されている。
【００２８】
通風ダクト２０の上流端部には、内部に空調風を導入するための導入開口部２９が開口している。この導入開口部２９は吹出開口部１９とほぼ同一寸法同一形状に形成され、導入開口部２９が吹出開口部１９と重なり合うように通風ダクト２０は空調ケース１０に接続されており、吹出開口部１９と導入開口部２９とが重なり合って形成された連通口９により、空調ケース１０内と通風ダクト２０内とが連通されている。
【００２９】
詳細は後述するが、通風ダクト２０は、空調ケース１０に対し、吹出開口部１９および導入開口部２９の開口面に沿ってスライドされて接続組付けされ、この接続組付けに伴ない連通口９が形成されるようになっている。ここで、図２および図３に示すように、接続組付時のスライド方向をＸＸ方向、図１および図２に示すように、連通口９の開口面内において組付時のスライド方向ＸＸ方向に直交する方向をＹＹ方向と呼ぶ。
【００３０】
図４に示すように、空調ケース１０は、ケース本体部１１とともに一体成形されケース本体部１１から立設された周状壁部１２を備えている。図５に示すように、周状壁部１２は矩形周状に形成されており、周状壁部１２に取り囲まれた内部の全領域が前述した吹出開口部１９として開口している。
【００３１】
図４に示すように、周状壁部１２の立設先端部（図示右方端部）からは、ＹＹ方向（図示上下方向）に、外方に向かって突出する一対の突出部１５が形成されている。すなわち、ＹＹ方向における吹出開口部１９の両側に、吹出開口部１９に対し外方に向かって突出する突出部１５が形成されている。
【００３２】
また、図５に示すように、この突出部１５は、ＸＸ方向に延びるように延設され、吹出開口部１９のＸＸ方向の開口全域に対応する部位において図６に示す断面形状が連続するように突出形成されている。
【００３３】
さらに、周状壁部１２のうち図５図示左方辺部（図４図示紙面表側面部）は、突出部１５の形成位置（吹出開口部１９の開口位置）よりもさらに延設されて延設壁部１６が設けられている。図５に示すように、周状壁部１２のうち図示右方側部である壁部１２ａの図示右方側面、および延設壁部１６の図示右方側面には、二点鎖線で示す部位に例えば発泡ウレタン樹脂からなるシール部材としてのパッキン３１、３２が貼着される。
【００３４】
また、図５に示すように、空調ケース１０の吹出開口部１９開口部位（周状壁部１２）より図示左方側の近傍には、ＹＹ方向における突出部１５の形成位置（高さ）とほぼ同一位置（高さ）に（突出部１５の延在方向に）、図４に示すようにケース本体部１１から突出した一対の壁状の突起部１７が形成されている。この突起部１７は、後述する通風ダクト２０の係合爪部である爪部２７が係合するための係合爪受部である。
【００３５】
図７に示すように、通風ダクト２０は、大別してダクト本体部２１とダクト本体部２１に図示左方端部に一体成形された接続構造部２２とからなる。接続構造部２２は、図８に示すように、導入開口部２９の周囲の３辺から外方に向かってコの字状に張り出した鍔状部２３を備えている。鍔状部２３のうち、図示上下２辺からＹＹ方向張り出した鍔状部２３ａは、図示右方側辺からＸＸ方向に張り出した鍔状部２３ｂに比較して若干幅広に形成されている。
【００３６】
図８に示すように、鍔状部２３ａは、ＸＸ方向に延びるように延設され、導入開口部２９のＸＸ方向のほぼ開口全域に対応する部位（開口全域の側方部）において図１０に示す断面形状が連続するように形成されている。また、図８に示す導入開口部２９のＸＸ方向における両端部に対応する位置（両端部の側方部）において、図９および図１１に断面形状を示すように、鍔状部２３ａから折り返されて延びる対向面部が形成された、断面Ｕ字形状のＵ字状部２４が形成されている。
【００３７】
そして、このＵ字状部２４の内側には、空調ケース１０側の突出部１５と、スライド移動が可能な程度の若干の遊びをもって嵌合する（遊嵌する）ための溝部２５が形成されている。
【００３８】
すなわち、ＹＹ方向における導入開口部２９の両側に、空調ケース１０の突出部１５と嵌合するように形成されたＸＸ方向に延びる溝部２５が形成されている。そして、溝部２５は、導入開口部２９のＸＸ方向における一部である両端に対応する部位に形成されている。
【００３９】
また、鍔状部２３ｂには、図７図示左方側（図８図示紙面裏側）に向かって立設された立設壁部２６が形成されている。この立設壁部２６は、空調ケース１０と通風ダクト２０とを組付けした際にパッキン３１を押圧圧縮するために設けられている。
【００４０】
また、図８に示すように、通風ダクト２０の導入開口部２９開口部位より図示左方側には、Ｕ字状部２４から一対の柱部２８が突出するように設けられており、それぞれの柱部２８は先端部が略三角形状に形成され、先端部側から徐々に拡幅されてＹＹ方向における外方に突出した爪部２７が形成されている。この爪部２７は前述した空調ケース１０の係合爪受部である突起部１７に係合するための係合爪部であり、突起部１７と爪部２７とで、本実施形態における係合手段を構成している。
【００４１】
次に、上記構成の空調ケース１０と通風ダクト２０とを接続する組付け動作について説明する。
【００４２】
図１２に示すように、まず、図示しない作業台上に載置された空調ユニットの空調ケース１０の吹出開口部１９に対し、通風ダクト２０の接続構造部２２を図示右方側から移動させ、図示左方側のＵ字状部２４内の溝部２５に空調ケース１０の突出部１５の図示右方端部を挿入する。
【００４３】
次に、通風ダクト２０を吹出開口部１９の開口面に沿ってスライドさせる。このとき、突出部１５と溝部２５との嵌合によってばかりでなく、突出部１５の図示紙面表側面が鍔状部２３ａの図示紙面裏側面に摺接して、通風ダクト２０の空調ケース１０に対するスライド移動を案内する。
【００４４】
このように、通風ダクト２０の空調ケース１０に対するスライド移動を継続し、図示右方側のＵ字状部２４内の溝部２５に空調ケース１０の突出部１５の図示右方端部を挿入する。
【００４５】
そして、通風ダクト２０の柱部２８が内側に撓んで爪部２７が空調ケース１０の突起部１７を乗り越え、柱部２８の撓みが復元して爪部２７が突起部１７に係合する。この係合により、空調ケース１０と通風ダクト２０とが係止され、相互の接続が完了する。これにより、図１〜３に図示したような接続構造が形成される。
【００４６】
このスライド移動の最終段階では、空調ケース１０に貼着されたパッキン３１が通風ダクト２０の立設壁部２６により押圧されて圧縮され、パッキン３２が通風ダクト２０のダクト本体部２１の先頭側面部（図示左方側面部）２１ａにより押圧されて圧縮される。
【００４７】
そして、空調ケース１０と通風ダクト２０との接続が完了した状態では、ほぼ同一形状に形成された吹出開口部１９と導入開口部２９とのほぼ全域同士が重なり合って、前述した連通口９を形成する。また、パッキン３１、３２は所定厚さに圧縮され、空調ケース１０と通風ダクト２０との接続部から空調風が漏れることを防止する。
【００４８】
ここで、空調ケース１０が本実施形態における第１ダクトに相当し、吹出開口部１９が本実施形態における第１開口部に相当する。また、通風ダクト２０が本実施形態における第２ダクトに相当し、導入開口部２９が本実施形態における第２開口部に相当する。
【００４９】
上述の構成および組付け動作によれば、空調ケース１０に通風ダクト２０を空調ケース１０の吹出開口部１９の開口面に沿ってスライドして組付ける際に、空調ケース１０の吹出開口部１９のスライド方向（ＸＸ方向）に沿った両側の側方部に形成した突出部１５と、通風ダクト２０の導入開口部１９のスライド方向（ＸＸ方向）に沿った両側の側方部に形成した溝部２５とを嵌合させて、通風ダクト２０を空調ケース１０に対し確実に案内することができる。
【００５０】
また、スライドにより吹出開口部１９と導入開口部２９とが重なり合って空調ケース１０内と通風ダクト２０内とを連通する所定の連通口９が形成されたときには、爪部２７と突起部１７との係合によりスライド方向（ＸＸ方向）における吹出開口部１９と導入開口部２９との位置関係を固定できる。すなわち、所定の連通口９を形成した状態を確実に維持することができる。
【００５１】
このように組付けられた空調ケース１０と通風ダクト２０とは、突出部１５と溝部２５との嵌合により、連通口９の開口面に直交する方向（図１図示左右方向）および組付け時スライド方向に直交する方向（ＹＹ方向）において、確実に固定される。さらに、空調ケース１０と通風ダクト２０とは、爪部２７と突起部１７との係合により、組付け時のスライド方向（ＸＸ方向）においても確実に固定される。
【００５２】
したがって、空調ケース１０と通風ダクト２０との組付作業が容易であり、組付け後の、空調ケース１０と通風ダクト２０との接続部を外れ難くすることができる。
【００５３】
これにより、車両用空調装置１を車両に搭載する前に予め空調ケース１０と通風ダクト２０とを接続組付けし、搬送する必要があったとしても、作業が複雑なビス留め等の固定手段は不要である。
【００５４】
また、空調ケース１０の突出部１５は、スライド組付け方向（ＸＸ方向）における吹出開口部１９の全域に対応する部位に渡って連続して形成されており、通風ダクト２０の溝部２５は、スライド組付け方向（ＸＸ方向）における導入開口部２９の一部である両端に対応する部位に形成されている。すなわち、突出部１５は、組付け後の連通口９形成領域の組付け時スライド方向における全域に対応する部位（全域の側方部）に渡って連続して形成され、溝部２５は、組付け後の連通口９形成領域の組付け時スライド方向における一部である両端に対応する部位（両端の側方部）に形成されていることになる。
【００５５】
したがって、通風ダクト２０を空調ケース１０に対し横方向から吹出開口部１９の開口面に沿ってスライドして接続組付けする際に、スライド中は常時突出部１５と溝部２５とを嵌合した状態を継続して、通風ダクト２０を安定して案内することができる。このようにして、空調ケース１０と通風ダクト２０との組付作業を容易に行なうことができる。
【００５６】
また、突出部１５より比較的成形が困難な溝部２５を、組付け時スライド方向（ＸＸ方向）における連通口９形成領域の一部に対応する部位に形成し、全域に対応する部位に渡って形成していないので、溝部２５を備える通風ダクト２０の成形が容易である。
【００５７】
また、溝部２５は、組付け時スライド方向（ＸＸ方向）における連通口９形成領域の両端に対応する部位に形成され、この溝部２５に突出部１５が嵌合している。したがって、突出部１５と溝部２５との嵌合部位が連通口９形成領域の組付け時スライド方向（ＸＸ方向）における一部に対応する部位であるものの、空調ケース１０と通風ダクト２０とを連通口９の開口面に直交する方向に確実に接合固定することができる。
【００５８】
また、爪部２７と突起部１７とからなる係合手段は、組付け時スライド方向（ＸＸ方向）における連通口９の端部側（スライドする通風ダクト２０の先端側）に設けられており、図２からも明らかなように、空調ケース１０と通風ダクト２０との接合部の幅内に配設されている。したがって、係合手段を組付け時スライド方向に直交する方向（ＹＹ方向）おける連通口９の端部側（スライド方向における側方部）に設けた場合よりも、空調ケース１０と通風ダクト２０との接合部のスライド方向に直交する方向（ＹＹ方向）の幅が拡大することを抑制することができる。
【００５９】
（他の実施形態）
上記一実施形態では、空調ケース１０の吹出開口部１９と通風ダクト２０の導入開口部２９とは、ともにほぼ同一寸法の矩形状であり、吹出開口部１９と導入開口部２９とが重なり合って形成された連通口９もほぼ同一寸法の矩形状であったが、各開口部や連通口の形状は矩形状に限定されるものではない。
【００６０】
例えば、図１３に示すように、吹出開口部１１９と導入開口部１２９とがともに扇形状であり、通風ダクト１２０を円弧状にスライドして、扇形状の連通口１０９を形成するように空調ケース１１０と接続するものであってもよい。
【００６１】
また、例えば、図１４に示すように、吹出開口部２１９と導入開口部２２９とがともに略半円形状であり、これらが重なり合って略半円形状の連通口２０９を形成するように空調ケース２１０と通風ダクト２２０とを接続するものであってもよい。
【００６２】
また、第１開口部である吹出開口部と第２開口部である導入開口部とは同一形状でなくてもかまわない。また、第１開口部である吹出開口部と第２開口部である導入開口部とが完全に重なり合うものでなくてもよい。
【００６３】
また、上記一実施形態では、爪部２７と突起部１７とからなる係合手段は、空調ケース１０に対する通風ダクト２０のスライド方向先端側に設けていたが、これに限定するものではない。組付け時スライド方向（ＸＸ方向）における連通口９の端部側であればスライド方向後端側に係合手段を設けるものであっても同様の効果を得ることができる。
【００６４】
また、例えば、図１５に示すように、爪部２７と突起部１７とからなる係合手段を、組付け時スライド方向に直交する方向（ＹＹ方向）おける連通口９の端部側（スライド方向における側方部）に設け、接続部のスライド方向（ＸＸ方向）の長さを抑制するものであってもよい。
【００６５】
また、係合手段は、上記一実施形態の爪部２７と突起部１７とからなる組み合わせに限定されず、例えば、図１６に示すように、爪部１２７を有する円錐台形状の柱部１２８と、これを受け入れる係合孔部を形成した突起部１１７とにより構成するものであってもよい。
【００６６】
また、上記一実施形態では、空調ケース１０の突出部１５は、スライド組付け方向（ＸＸ方向）における吹出開口部１９（連通口９でもある）の両側の側方部全域に連続して形成されており、通風ダクト２０の溝部２５は、スライド組付け方向（ＸＸ方向）における導入開口部２９（連通口９でもある）の両側の側方部の一部である両端およびその近傍のみに形成していたが、溝部２５は少なくとも両端に形成するものであれば、突出部１５と溝部２５との嵌合により、連通口９の開口面に直交する方向（図１図示左右方向）および組付け時スライド方向に直交する方向（ＹＹ方向）において、空調ケース１０と通風ダクト２０とを確実に固定することができる。
【００６７】
また、必要な固定状態を得ることができるのであれば、溝部２５を、スライド組付け方向（ＸＸ方向）における連通口９の両側の側方部の両端以外の一部に形成するものであってもよい。
【００６８】
また、突出部１５と溝部２５との少なくともいずれかが、スライド組付け方向（ＸＸ方向）における連通口９の両側の側方部の全域に形成されていれば、スライド組付けを容易に行なうことができる。すなわち、突出部を一部に設け、溝部を全域に設けるものであってもよい。また、両者を全域に設けるものであってもよい。
【００６９】
また、上記一実施形態では、通風ダクト２０は、ダクト本体部２１と接続構造部２２とをブロー成形法により一体成形するものであったが、別体であってもかまわない。例えば、ブロー成形したダクト本体部２１と射出成形した接続構造部２２とを接合するものであってもよい。
【００７０】
また、上記一実施形態では、空調ケース１０に突出部１５を設け、通風ダクト２０に溝部２５を設けていたが、これに限定されるものではなく、逆であってもかまわない。すなわち、上記一実施形態では、空調ケース１０が第１ダクトに相当し、通風ダクト２０が第２ダクトに相当するものであったが、空調ケース１０が第２ダクトに相当し、通風ダクト２０が第１ダクトに相当するものであってもかまわない。
【００７１】
また、スライド組付け方向（ＸＸ方向）における連通口９の一方の側方部と他方の側方部とで、形成する構成を異なるものとしてもかまわない。例えば、一方の側方部と他方の側方部とで、突起部と溝部とを逆に設けてもよい。また、例えば、一方の側方部と他方の側方部とで、突起部のサイズとこれに嵌合する溝部のサイズとを異なるものとしてもかまわない。これらによれば、組付け時の誤組付けを防止することも可能である。
【００７２】
また、上記一実施形態では、空調ケース１０と通風ダクト２０とを接続する組付け時に、載置された空調ケース１０の吹出開口部１９に対し、通風ダクト２０の接続構造部２２をスライド移動させていたが、これに限定されるものではなく、空調ケース１０（第１ダクト）と通風ダクト２０（第２ダクト）とを相対的にスライド移動するものであればよい。したがって、例えば、空調ケース１０側のみをスライド移動するものであってもよいし、両者をスライド移動するものであってもよい。
【００７３】
また、上記一実施形態では、空調ケース１０と通風ダクト２０との接続部に本発明を適用した場合を説明したが、接続する第１ダクトと第２ダクトとは空調ケース１０と通風ダクト２０とに限定されるものではない。例えば、通風ダクトを空調風の流れ方向において分割して成形し、分割形成したダクト同士の接続部に本発明を適用するものであってもよい。
【００７４】
また、上記一実施形態では、第１ダクトである空調ケース１０は、ポリプロピレン樹脂の射出成形品であり、第２ダクトである通風ダクト２０は、ポリエチレン樹脂のブロー成形品であったが、第１ダクトおよび第２ダクトの材質および成形方法はこれに限定するものではない。
【図面の簡単な説明】
【００７５】
【図１】本発明を適用した一実施形態における車両用空調装置１の要部構成を示す側面図である。
【図２】図１のＩＩ−ＩＩ線断面図である。
【図３】図１のＩＩＩ矢視図である。
【図４】空調ケース１０の要部側面図である。
【図５】空調ケース１０の要部正面図である。
【図６】図５のＶＩ−ＶＩ線断面図である。
【図７】通風ダクト２０の要部側面図である。
【図８】通風ダクト２０の要部正面図（図７のＶＩＩＩ−ＶＩＩＩ線断面図）である。
【図９】図８のＩＸ−ＩＸ線断面図である。
【図１０】図８のＸ−Ｘ線断面図である。
【図１１】図８のＸＩ−ＸＩ線断面図である。
【図１２】空調ケース１０と通風ダクト２０とを接続する組付け動作の説明図である。
【図１３】他の実施形態における車両用空調装置１の要部構成を示す図である。
【図１４】他の実施形態における車両用空調装置１の要部構成を示す図である。
【図１５】他の実施形態における車両用空調装置１の要部構成を示す図である。
【図１６】他の実施形態における車両用空調装置の要部構成を示す図である。
【符号の説明】
【００７６】
１  車両用空調装置
９  連通口
１０  空調ケース（第１ダクト）
１５  突出部
１７  突起部（係合爪受部、係合手段の一部）
１９  吹出開口部（第１開口部）
２０  通風ダクト（第２ダクト）
２５  溝部
２７  爪部（係合爪部、係合手段の一部）
２９  導入開口部（第２開口部）
ＸＸ  スライド方向
ＹＹ  スライド方向に直交する方向
【図１】
2008137549.tif 000003
【図２】
2008137549.tif 000004
【図３】
2008137549.tif 000005
【図４】
2008137549.tif 000006
【図５】
2008137549.tif 000007
【図６】
2008137549.tif 000008
【図７】
2008137549.tif 000009
【図８】
2008137549.tif 000010
【図９】
2008137549.tif 000011
【図１０】
2008137549.tif 000012
【図１１】
2008137549.tif 000013
【図１２】
2008137549.tif 000014
【図１３】
2008137549.tif 000015
【図１４】
2008137549.tif 000016
【図１５】
2008137549.tif 000017
【図１６】
2008137549.tif 000018